(57)【要約】【課題】最も早く実行される予約録画が、どの記録媒体に対して映像信号を記録するようになっているのかをユーザに知らせる。【解決手段】装置本体から取り出し可能である第１の記録媒体１１に映像信号を記録する第１の記録手段１と、装置本体から取り出し可能である第２の記録媒体１２に映像信号を記録する第２の記録手段２と、予約録画の設定の受け付けを行う予約録画制御手段１６とを備えた構成において、予約録画制御手段１６を用いて設定された予約録画のうち、最も早く実行される予約録画に対応する記録媒体が第１の記録媒体１１であるのか又は第２の記録媒体１２であるのかを表示部１０において表示する。【選択図】  図１
2006005778.tif 000002
【特許請求の範囲】
【請求項１】
ビデオテープに映像信号を記録するビデオレコーダ部と、
ＤＶＤに映像信号を記録するＤＶＤレコーダ部と、
ビデオテープに映像信号を記録する予約録画の設定の受け付けとＤＶＤに映像信号を記録する予約録画の設定の受け付けとを行う予約録画制御手段と、
装置本体に設けられた表示部とを備えた複合型記録再生装置において、
予約録画制御手段を用いて設定された予約録画のうち、最も早く実行される予約録画に対応する記録媒体がビデオテープであるのか又はＤＶＤであるのかが表示部において表示され、
最も早く実行される予約録画に対応する記録媒体が所定位置に収納されていない場合には予約録画の実行の不能が表示部に表示され、
且つ、最も早く実行される予約録画に対応する記録媒体が所定位置に収納されている場合には、最も早く実行される予約録画とは異なる予約録画に対応する記録媒体が所定位置に収納されていないときにも予約録画の実行の不能の表示は中止され、
且つ、最も早く実行される予約録画に対応する記録媒体が所定位置に収納されているときであっても、所定位置に収納された記録媒体が映像信号の記録が不能な記録媒体であるときには予約録画の実行の不能が表示部に表示され、
且つ、最も早く実行される予約録画に対応する記録媒体がＤＶＤであって且つＤＶＤが所定位置に収納されているときであっても、所定位置に収納されたＤＶＤに空きエリアが無いときには予約録画の実行の不能が表示部に表示され、
且つ、最も早く実行される予約録画に対応する記録媒体がＤＶＤであって且つＤＶＤが所定位置に収納されている場合において、設定された記録モードで所定位置に収納されたＤＶＤに映像信号を記録すると記録可能な時間が予約録画により示される録画時間より短くなるときには、ＤＶＤの空きエリアの不足が表示部において表示され、
且つ、ＤＶＤの空きエリアの不足が表示部に表示されるときには、そのときに設定されていた記録モードが表示部に表示され、
且つ、振替モードと非振替モードとに設定可能であり、
振替モードに設定された場合、ビデオテープに映像信号を記録することが不能な状態においては、ビデオテープに映像信号を記録する予約録画はＤＶＤに映像信号を記録する予約録画に自動で変更され、ＤＶＤに映像信号を記録することが不能な状態においては、ＤＶＤに映像信号を記録する予約録画はビデオテープに映像信号を記録する予約録画に自動で変更され、
非振替モードに設定された場合、対応する記録媒体に映像信号を記録することが不能となるときには予約録画の実行が中止されることを特徴とする複合型記録再生装置。
【請求項２】
装置本体から取り出し可能である第１の記録媒体に映像信号を記録する第１の記録手段と、
装置本体から取り出し可能である第２の記録媒体に映像信号を記録する第２の記録手段と、
第１の記録媒体に映像信号を記録する予約録画の設定の受け付けと第２の記録媒体に映像信号を記録する予約録画の設定の受け付けとを行う予約録画制御手段と、
装置本体に設けられた表示部とを備え、
第１の記録媒体と第２の記録媒体とは記録媒体の種類が異なる複合型記録再生装置において、
予約録画制御手段を用いて設定された予約録画のうち、最も早く実行される予約録画に対応する記録媒体が第１の記録媒体であるのか又は第２の記録媒体であるのかが表示部において表示されることを特徴とする複合型記録再生装置。
【請求項３】
最も早く実行される予約録画に対応する記録媒体が所定位置に収納されていない場合には予約録画の実行の不能が表示部に表示され、
最も早く実行される予約録画に対応する記録媒体が所定位置に収納されている場合には、最も早く実行される予約録画とは異なる予約録画に対応する記録媒体が所定位置に収納されていないときにも、予約録画の実行の不能の表示は中止されることを特徴とする請求項２記載の複合型記録再生装置。
【請求項４】
最も早く実行される予約録画に対応する記録媒体が所定位置に収納されているときであっても、所定位置に収納された記録媒体が映像信号の記録が不能な記録媒体であるときには、予約録画の実行の不能が表示部に表示されることを特徴とする請求項２または請求項３記載の複合型記録再生装置。
【請求項５】
最も早く実行される予約録画に対応する記録媒体が所定位置に収納されているときであっても、所定位置に収納された記録媒体が空きエリアが無い記録媒体であるときには、予約録画の実行の不能が表示部に表示されることを特徴とする請求項２から請求項４までのいずれかに記載の複合型記録再生装置。
【請求項６】
最も早く実行される予約録画に対応する記録媒体が所定位置に収納されている場合において、設定された記録モードで所定位置に収納された記録媒体に映像信号を記録すると記録可能な時間が予約録画により示される録画時間より短くなるときには、記録媒体の空きエリアの不足が表示部において表示されることを特徴とする請求項２から請求項５までのいずれかに記載の複合型記録再生装置。
【請求項７】
記録媒体の空きエリアの不足が表示部に表示されるときには、そのときに設定されていた記録モードが表示部に表示されることを特徴とする請求項６記載の複合型記録再生装置。
【請求項８】
装置本体から取り出し可能である第１の記録媒体に映像信号を記録する第１の記録手段と、
装置本体から取り出し可能である第２の記録媒体に映像信号を記録する第２の記録手段と、
第１の記録媒体に映像信号を記録する予約録画の設定の受け付けと第２の記録媒体に映像信号を記録する予約録画の設定の受け付けとを行う予約録画制御手段とを備え、
第１の記録媒体と第２の記録媒体とは記録媒体の種類が異なる複合型記録再生装置において、
予約録画制御手段が予約録画の設定に用いる表示画面において、第１の記録媒体と第２の記録媒体とのうちの一方を、予約録画に対応する記録媒体として選択可能とするとともに選択された記録媒体を表示することを特徴とする複合型記録再生装置。
【請求項９】
予約録画に対応する記録媒体として第１の記録媒体を選択したときには、第１の記録媒体に対応して設けられた記録モードが選択肢として設定され、予約録画に対応する記録媒体として第２の記録媒体を選択したときには、第２の記録媒体に対応して設けられた記録モードが選択肢として設定されることを特徴とする請求項８記載の複合型記録再生装置。
【請求項１０】
複数の予約録画が設定された場合、予約録画の設定に用いる表示画面においては、最も早く実行されることになる予約録画が、その他の予約録画から識別可能に表示されることを特徴とする請求項８または請求項９記載の複合型記録再生装置。
【発明の詳細な説明】
【技術分野】
【０００１】
本発明は、ビデオカセットテープとＤＶＤとのように、互いに異なる種類の記録媒体のそれぞれに対して予約録画を行う複合型記録再生装置に係り、より詳細には、最も早く実行される予約録画に対応する記録媒体を表示する複合型記録再生装置、および、予約録画の設定画面において、互いに異なる種類の記録媒体のうちの一方を予約録画の対象として選択可能にした複合型記録再生装置に関するものである。
【背景技術】
【０００２】
ビデオカセットテープ（以下では、ビデオテープと称する）への録画とＤＶＤへの録画とが可能である複合型記録再生装置を用いて録画の予約を行う場合、ビデオテープへの録画の予約とＤＶＤへの録画の予約とは、互いに異なる画面表示を用いて行うようになっている。すなわち、ビデオテープに対する録画の予約を行うときには、動作モードを、ビデオテープを使用するモードであるＶＣＲモードに設定する。そして、ＶＣＲモードにおいて、予約録画の設定画面を表示させ、必要な情報を入力している。また、ＤＶＤに対する録画の予約を行うときには、動作モードを、ＤＶＤを使用するモードであるＤＶＤモードに設定する。そして、ＤＶＤモードにおいて、予約録画の設定画面を表示させ、必要な情報を入力している（第１の従来技術とする）。
【０００３】
また、上記方法によって録画の予約が行われた後、予約録画の時刻となるまでの待機状態においては、以下に示す表示を行うようになっている。すなわち、いま、ビデオテープに対する録画の予約とＤＶＤに対する録画の予約とが設定されているとする。また、ビデオテープが挿入されるとともに、充分な空きエリアがある記録可能なＤＶＤが載置されているとする。このときでは、蛍光表示管を用いた表示部（図３の１０により示す）においては、予約録画が行われていることを示す時計マーク２１が点灯される。また、ビデオテープに対する録画の予約が設定されたことを示すために、ビデオテープを示す『ＶＣＲ』の文字表示２２が点灯される。また、ＤＶＤに対する録画の予約が設定されたことを示すために、ＤＶＤを示す『ＤＶＤ』の文字表示２３が点灯される。
【０００４】
一方、ビデオテープとＤＶＤとの双方に対する録画の予約が設定されている状態において、ビデオテープは挿入されているが、ＤＶＤが載置されていない場合では、ビデオテープへの予約録画はできるが、ＤＶＤへの予約録画を行うことができない。このため、ビデオテープに対応する『ＶＣＲ』の文字表示２２は点灯されるが、ＤＶＤに対応する『ＤＶＤ』の文字表示２３は点滅されるようになっている。また、時計マーク１１も点滅されるようになっている。つまり、表示部１０を用いて、ＤＶＤに対する予約録画が設定されているにもかかわらず、ＤＶＤが載置されていないので、ＤＶＤへの予約録画ができないことを示すようになっている。なお、ＤＶＤが載置されており、ビデオテープが挿入されていない場合では、時計マーク１１と『ＶＣＲ』の文字表示２２とが点滅表示となり、『ＤＶＤ』の文字表示２３が点灯表示となる（第２の従来技術とする）。
【０００５】
また、ビデオテープとＤＶＤとの双方を使用可能な複合型記録再生装置に関して、以下に示す技術が提案されている（第３の従来技術とする）。すなわち、電源がオフからオンに移行したため、ＤＶＤの回転を開始させるときでは、回転を開始させたときから５秒の期間では、ＤＶＤの回転が安定しないため、振動が大きくなる。従って、この期間にビデオテープに録画を行うと、コントールトラックに記録される信号に乱れが生じ、再生時に画面の揺れが発生する。このため、第３の従来技術においては、電源がオフからオンに移行して後、直ちにビデオテープに予約録画を行うようになっている場合であっても、電源がオンとなって後、５秒間においては予約録画を開始せず、５秒が経過したときから予約録画を開始するようにしている（例えば、特許文献１参照）。
【特許文献１】特開２００３−９１９０２号公報
【発明の開示】
【発明が解決しようとする課題】
【０００６】
しかしながら、第１の従来技術を用いる場合には、以下に示す問題を生じていた。すなわち、ビデオテープを対象とする予約録画とＤＶＤを対象とする予約録画との双方の予約状態を確認しようとする場合では、ＶＣＲモードとＤＶＤモードとのうちの一方のモードにおいて、予約録画の画面を表示させた後、他方のモードに切り換えて、予約録画の画面を表示させる必要がある。このため、予約録画の確認を行うときには煩雑な操作が必要となる。また、ビデオテープに予約録画を割り当てていた番組を、ＤＶＤに予約録画させようとする場合にも、ＶＣＲモードにおいて表示される予約録画の画面を用いて、録画の予約を取り消した後、ＤＶＤモードにおいて表示される予約録画の画面を用いて、録画の予約を設定する必要があるので、操作が煩雑になる。
【０００７】
また、第２の従来技術を用いる場合では、以下に示す問題を生じていた。すなわち、第２の従来技術においては、ビデオテープを対象とする予約録画とＤＶＤを対象とする予約録画とが設定されているにもかかわらず、ＤＶＤが載置されていない場合では、時計マーク１１と『ＤＶＤ』の文字表示２３とを点滅させることで、ＤＶＤを対象とする予約録画が実行できないことを表示するようになっている。このような表示は、例えば、ビデオテープを対象とする予約録画が、当日の夜に行われるようになっており、ＤＶＤを対象とする予約録画が、１０日後の夜に行われるようになっている場合であっても、同様に表示される。つまり、ＤＶＤの載置を急ぐ必要がない場合であっても、時計マーク１１と『ＤＶＤ』の文字表示２３とが点滅されることになる。従って、ユーザにとっては、時計マーク１１と『ＤＶＤ』の文字表示２３とが点滅表示された場合、しばらくはそのままにしておいて、電源をオンする機会があったときに、ＤＶＤを搭載すればいいのか、あるいは、今すぐにでもＤＶＤを搭載する必要があるのかの判断が難しくなっていた。
【０００８】
第３の従来技術は、ＤＶＤを回転駆動するときの振動が、ビデオテープに記録される信号に悪影響を与えることを回避する技術となっている。このため、第１の従来技術における問題や第２の従来技術における問題を解決しようとする観点からは、適用することが困難な技術となっている。
【０００９】
本発明は、上記の問題点を解決するため創案されたものであり、その目的は、最も早く実行される予約録画が、どの記録媒体に対して映像信号を記録するようになっているのかをユーザに知らせることのでき、且つ、予約録画に対応する記録媒体が所定位置にない事態が生じたときにも、所定位置への記録媒体の収納を急ぐ必要がないときには、所定位置への記録媒体の収納をユーザに急がせることを防止することのでき、且つ、適切ではない記録媒体がセットされていることをユーザに知らせることのでき、且つ、予約録画用としてセットした記録媒体の空きエリアの不足をユーザに知らせることのでき、且つ、空きエリアが不足することになったときの記録モードをユーザに知らせることのでき、且つ、予約録画に対応する記録媒体が所定位置に収納されていないときには、予約録画に対応しない側の記録媒体に対して予約録画を行うことのできる複合型記録再生装置を提供することにある。
【００１０】
また本発明の目的は、第１の記録媒体に映像信号を記録する予約録画と、第２の記録媒体に映像信号を記録する予約録画とが設定されたとき、最も早く実行される予約録画に対応する記録媒体が、第１の記録媒体であるのか又は第２の記録媒体であるのかを表示部に表示することにより、最も早く実行される予約録画が、どの記録媒体に対して映像信号を記録するようになっているのかをユーザに知らせることのできる複合型記録再生装置を提供することにある。
【００１１】
また上記目的に加え、最も早く実行される予約録画に対応する記録媒体がないときには予約録画の不能を表示するが、上記予約録画に対応する記録媒体が所定位置にある場合には、その他の予約録画に対応する記録媒体がないときにも、予約録画の実行不能の表示を中止することにより、予約録画に対応する記録媒体が所定位置にない事態が生じたときにも、所定位置への記録媒体の収納を急ぐ必要がないときには、所定位置への記録媒体の収納をユーザに急がせることを防止することのできる複合型記録再生装置を提供することにある。
【００１２】
また上記目的に加え、最も早く実行される予約録画に対応する記録媒体が所定位置に収納されているときであっても、その記録媒体に映像信号を記録できないときには、予約録画の実行不能を表示部に表示することにより、適切ではない記録媒体がセットされていることをユーザに知らせることのできる複合型記録再生装置を提供することにある。
【００１３】
また上記目的に加え、予約録画用としてセットした記録媒体の空きエリアの不足をユーザに知らせることのできる複合型記録再生装置を提供することにある。
【００１４】
また上記目的に加え、空きエリアが不足することになったときの記録モードをユーザに知らせることのできる複合型記録再生装置を提供することにある。
【００１５】
また本発明に係る複合型記録再生装置は、１つの設定用の画面において、２種の記録媒体のうちの一方を、予約録画用の記録媒体として選択可能とすることにより、予約録画に用いる記録媒体の変更と、予約録画に用いられる記録媒体の確認とを容易にすることのできる複合型記録再生装置を提供することにある。
【００１６】
また上記目的に加え、選択された記録媒体に対応して、選択肢となる記録モードを自動で変更することにより、記録モードの選択を容易にすることのできる複合型記録再生装置を提供することにある。
【００１７】
また上記目的に加え、複数の予約録画が設定されたときには、最も早く実行される予約録画を、その他の予約録画から識別可能に表示することにより、どの予約録画が最も早く実行される予約録画であるかの把握を容易にすることのできる複合型記録再生装置を提供することにある。
【課題を解決するための手段】
【００１８】
上記の課題を解決するため、本発明に係る複合型記録再生装置は、ビデオテープに映像信号を記録するビデオレコーダ部と、ＤＶＤに映像信号を記録するＤＶＤレコーダ部と、ビデオテープに映像信号を記録する予約録画の設定の受け付けとＤＶＤに映像信号を記録する予約録画の設定の受け付けとを行う予約録画制御手段と、装置本体に設けられた表示部とを備えた複合型記録再生装置に適用している。そして、予約録画制御手段を用いて設定された予約録画のうち、最も早く実行される予約録画に対応する記録媒体がビデオテープであるのか又はＤＶＤであるのかが表示部において表示され、最も早く実行される予約録画に対応する記録媒体が所定位置に収納されていない場合には予約録画の実行の不能が表示部に表示され、且つ、最も早く実行される予約録画に対応する記録媒体が所定位置に収納されている場合には、最も早く実行される予約録画とは異なる予約録画に対応する記録媒体が所定位置に収納されていないときにも、予約録画の実行の不能の表示は中止され、且つ、最も早く実行される予約録画に対応する記録媒体が所定位置に収納されているときであっても、所定位置に収納された記録媒体が映像信号の記録が不能な記録媒体であるときには、予約録画の実行の不能が表示部に表示され、且つ、最も早く実行される予約録画に対応する記録媒体がＤＶＤであって且つＤＶＤが所定位置に収納されているときであっても、所定位置に収納されたＤＶＤに空きエリアが無いときには、予約録画の実行の不能が表示部に表示され、且つ、最も早く実行される予約録画に対応する記録媒体がＤＶＤであって且つＤＶＤが所定位置に収納されている場合において、設定された記録モードで所定位置に収納されたＤＶＤに映像信号を記録すると記録可能な時間が予約録画により示される録画時間より短くなるときには、ＤＶＤの空きエリアの不足が表示部において表示され、且つ、ＤＶＤの空きエリアの不足が表示部に表示されるときには、そのときに設定されていた記録モードが表示部に表示され、且つ、振替モードと非振替モードとに設定可能であり、振替モードに設定された場合、ビデオテープに映像信号を記録することが不能な状態においては、ビデオテープに映像信号を記録する予約録画はＤＶＤに映像信号を記録する予約録画に自動で変更され、ＤＶＤに映像信号を記録することが不能な状態においては、ＤＶＤに映像信号を記録する予約録画はビデオテープに映像信号を記録する予約録画に自動で変更され、非振替モードに設定された場合、対応する記録媒体に映像信号を記録することが不能となるときには予約録画の実行が中止されるようになっている。
【００１９】
すなわち、最も早く実行される予約録画が、どの記録媒体に対して映像信号を記録するようになっているのかが示される。且つ、急いで記録媒体を所定位置に収納する必要が無い予約録画については、予約録画に対応する記録媒体が所定位置に収納されていない場合でも、予約録画の実行の不能は表示されない。且つ、所定位置に収納された記録媒体が、記録不能な記録媒体となっていて、予約録画の記録媒体として不適切となる場合には、予約録画の実行の不能が表示される。且つ、所定位置に収納された記録媒体が、空きエリアの無い記録媒体となっていて、予約録画の記録媒体として不適切となる場合には、予約録画の実行の不能が表示される。且つ、所定位置に収納された記録媒体が、空きエリアが不足した記録媒体である場合には、予約録画の実行の不能が表示される。且つ、空きエリアが不足となるときには、このときに設定されていた記録モードが表示される。且つ、予約録画に対応する記録媒体が所定位置に収納されていないときには、予約録画に対応しない側の記録媒体に対して予約録画が行われる。
【００２０】
また本発明に係る複合型記録再生装置は、装置本体から取り出し可能である第１の記録媒体に映像信号を記録する第１の記録手段と、装置本体から取り出し可能である第２の記録媒体に映像信号を記録する第２の記録手段と、第１の記録媒体に映像信号を記録する予約録画の設定の受け付けと第２の記録媒体に映像信号を記録する予約録画の設定の受け付けとを行う予約録画制御手段と、装置本体に設けられた表示部とを備え、第１の記録媒体と第２の記録媒体とは記録媒体の種類が異なる複合型記録再生装置に適用している。そして、予約録画制御手段を用いて設定された予約録画のうち、最も早く実行される予約録画に対応する記録媒体が第１の記録媒体であるのか又は第２の記録媒体であるのかが表示部において表示されるようになっている。すなわち、最も早く実行される予約録画が、どの記録媒体に対して映像信号を記録するようになっているのかが示される。
【００２１】
また、上記構成に加え、最も早く実行される予約録画に対応する記録媒体が所定位置に収納されていない場合には予約録画の実行の不能が表示部に表示され、最も早く実行される予約録画に対応する記録媒体が所定位置に収納されている場合には、最も早く実行される予約録画とは異なる予約録画に対応する記録媒体が所定位置に収納されていないときにも、予約録画の実行の不能の表示は中止されるようになっている。すなわち、急いで記録媒体を所定位置に収納する必要が無い予約録画については、予約録画に対応する記録媒体が所定位置に収納されていない場合でも、予約録画の実行の不能は表示されない。
【００２２】
また、上記構成に加え、最も早く実行される予約録画に対応する記録媒体が所定位置に収納されているときであっても、所定位置に収納された記録媒体が映像信号の記録が不能な記録媒体であるときには、予約録画の実行の不能が表示部に表示されるようになっている。すなわち、所定位置に収納された記録媒体が、記録不能な記録媒体となっていて、予約録画の記録媒体として不適切となる場合には、予約録画の実行の不能が表示される。
【００２３】
また、上記構成に加え、最も早く実行される予約録画に対応する記録媒体が所定位置に収納されているときであっても、所定位置に収納された記録媒体が空きエリアが無い記録媒体であるときには、予約録画の実行の不能が表示部に表示されるようになっている。すなわち、所定位置に収納された記録媒体が、空きエリアの無い記録媒体となっていて、予約録画の記録媒体として不適切となる場合には、予約録画の実行の不能が表示される。
【００２４】
また、上記構成に加え、最も早く実行される予約録画に対応する記録媒体が所定位置に収納されている場合において、設定された記録モードで所定位置に収納された記録媒体に映像信号を記録すると記録可能な時間が予約録画により示される録画時間より短くなるときには、記録媒体の空きエリアの不足が表示部において表示されるようになっている。すなわち、所定位置に収納された記録媒体が、空きエリアが不足した記録媒体である場合には、予約録画の実行の不能が表示される。
【００２５】
また、上記構成に加え、記録媒体の空きエリアの不足が表示部に表示されるときには、そのときに設定されていた記録モードが表示部に表示されるようになっている。すなわち、空きエリアが不足となるときには、このときに設定されていた記録モードが表示される。
【００２６】
また本発明に係る複合型記録再生装置は、装置本体から取り出し可能である第１の記録媒体に映像信号を記録する第１の記録手段と、装置本体から取り出し可能である第２の記録媒体に映像信号を記録する第２の記録手段と、第１の記録媒体に映像信号を記録する予約録画の設定の受け付けと第２の記録媒体に映像信号を記録する予約録画の設定の受け付けとを行う予約録画制御手段とを備え、第１の記録媒体と第２の記録媒体とは記録媒体の種類が異なる複合型記録再生装置に適用している。そして、予約録画制御手段が予約録画の設定に用いる表示画面において、第１の記録媒体と第２の記録媒体とのうちの一方を、予約録画に対応する記録媒体として選択可能とするとともに選択された記録媒体を表示するようになっている。すなわち、予約録画制御手段が予約録画の設定に用いる表示画面を用いるのみで、第１の記録媒体と第２の記録媒体とのうちの任意の一方を、予約録画のための記録媒体に設定できる。また、設定した記録媒体が画面に表示される。
【００２７】
また、上記構成に加え、予約録画に対応する記録媒体として第１の記録媒体を選択したときには、第１の記録媒体に対応して設けられた記録モードが選択肢として設定され、予約録画に対応する記録媒体として第２の記録媒体を選択したときには、第２の記録媒体に対応して設けられた記録モードが選択肢として設定されるようにしている。すなわち、記録媒体を選択したときには、選択した記録媒体に対応する記録モードのみが選択可能な対象となる。
【００２８】
また、上記構成に加え、複数の予約録画が設定された場合、予約録画の設定に用いる表示画面においては、最も早く実行されることになる予約録画が、その他の予約録画から識別可能に表示されるようにしている。すなわち、どの予約録画が、最も早く実行されることになる予約録画であるかが示される。
【発明の効果】
【００２９】
本発明によれば、最も早く実行される予約録画が、どの記録媒体に対して映像信号を記録するようになっているのかが示される。且つ、急いで記録媒体を所定位置に収納する必要が無い予約録画については、予約録画に対応する記録媒体が所定位置に収納されていない場合でも、予約録画の実行の不能は表示されない。且つ、所定位置に収納された記録媒体が、記録不能な記録媒体となっていて、予約録画の記録媒体として不適切となる場合には、予約録画の実行の不能が表示される。且つ、所定位置に収納された記録媒体が、空きエリアの無い記録媒体となっていて、予約録画の記録媒体として不適切となる場合には、予約録画の実行の不能が表示される。且つ、所定位置に収納された記録媒体が、空きエリアが不足した記録媒体である場合には、予約録画の実行の不能が表示される。且つ、空きエリアが不足となるときには、このときに設定されていた記録モードが表示される。且つ、予約録画に対応する記録媒体が所定位置に収納されていないときには、予約録画に対応しない側の記録媒体に対して予約録画が行われる。このため、最も早く実行される予約録画が、どの記録媒体に対して映像信号を記録するようになっているのかをユーザに知らせることができ、且つ、予約録画に対応する記録媒体が所定位置にない事態が生じたときにも、所定位置への記録媒体の収納を急ぐ必要がないときには、所定位置への記録媒体の収納をユーザに急がせることを防止することができ、且つ、適切ではない記録媒体がセットされていることをユーザに知らせることができ、且つ、予約録画用としてセットした記録媒体の空きエリアの不足をユーザに知らせることができ、且つ、空きエリアが不足することになったときの記録モードをユーザに知らせることができ、且つ、予約録画に対応する記録媒体が所定位置に収納されていないときには、予約録画に対応しない側の記録媒体に対して予約録画を行うことができる。
【００３０】
また本発明によれば、最も早く実行される予約録画が、どの記録媒体に対して映像信号を記録するようになっているのかが表示部に示されるので、最も早く実行される予約録画が、どの記録媒体に対して映像信号を記録するようになっているのかをユーザに知らせることができる。
【００３１】
また、さらに、急いで記録媒体を所定位置に収納する必要が無い予約録画については、予約録画に対応する記録媒体が所定位置に収納されていない場合でも、予約録画の実行の不能は表示されないので、予約録画に対応する記録媒体が所定位置にない事態が生じたときにも、所定位置への記録媒体の収納を急ぐ必要がないときには、所定位置への記録媒体の収納をユーザに急がせることを防止することができる。
【００３２】
また、さらに、所定位置に収納された記録媒体が、記録不能な記録媒体となっていて、予約録画の記録媒体として不適切となる場合には、予約録画の実行の不能が表示されるので、適切ではない記録媒体がセットされていることをユーザに知らせることができる。
【００３３】
また、さらに、所定位置に収納された記録媒体が、空きエリアの無い記録媒体となっていて、予約録画の記録媒体として不適切となる場合には、予約録画の実行の不能が表示されるので、適切ではない記録媒体がセットされていることをユーザに知らせることができる。
【００３４】
また、さらに、所定位置に収納された記録媒体が、空きエリアが不足した記録媒体である場合には、予約録画の実行の不能が表示されるので、予約録画用としてセットした記録媒体の空きエリアの不足をユーザに知らせることができる。
【００３５】
また、さらに、空きエリアが不足となるときには、このときに設定されていた記録モードが表示されるので、空きエリアが不足することになったときの記録モードをユーザに知らせることができる。
【００３６】
また本発明によれば、予約録画制御手段が予約録画の設定に用いる表示画面を用いるのみで、第１の記録媒体と第２の記録媒体とのうちの任意の一方を、予約録画のための記録媒体に設定できる。また、選択した記録媒体が画面に表示される。このため、予約録画に用いる記録媒体の変更と、予約録画に用いられる記録媒体の確認とを容易にすることができる。
【００３７】
また、さらに、記録媒体を選択したときには、選択した記録媒体に対応する記録モードのみが選択可能な対象となるので、記録モードの選択を容易にすることができる。
【００３８】
また、さらに、どの予約録画が、最も早く実行されることになる予約録画であるかが示されるので、どの予約録画が最も早く実行される予約録画であるかの把握を容易にすることができる。
【発明を実施するための最良の形態】
【００３９】
以下、本発明の実施の形態について図を参照して説明する。
【００４０】
図１は、本発明に係る複合型記録再生装置の一実施形態の電気的構成を示すブロック線図であり、具体的には、ビデオカセットテープ（以下では、ビデオテープと称する）とＤＶＤとを記録媒体として、映像信号の記録／再生を行うデュアル型レコーダを示している。また、図２は、実施形態の前面パネルの様子を示す説明図、図３は、実施形態の表示部を示す説明図である。
【００４１】
図において、ビデオレコーダ部（請求項記載の第１の記録手段）１は、装置本体４０から取り出し可能な第１の記録媒体であるビデオテープ１１に、チューナ部４から出力される映像信号、あるいは、図示されない経路を介して外部より導かれた映像信号を記録する。また、ビデオテープ１１に記録された映像信号を再生して、信号切換部３とＤＶＤレコーダ部２とに送出する。
【００４２】
ＤＶＤレコーダ部（請求項記載の第２の記録手段）２は、装置本体４０から取り出し可能な第２の記録媒体であるＤＶＤ（ＤＶＤ−Ｒ、ＤＶＤ−ＲＷ等）１２に、チューナ部４から出力される映像信号やビデオレコーダ部１から出力される映像信号、あるいは、図示されない経路を介して外部より導かれた映像信号を記録する。また、ＤＶＤ１２に記録された映像信号を再生して、信号切換部３に送出する。
【００４３】
信号切換部３は、制御手段５からの指示に従って、ビデオレコーダ部１から出力される映像信号、または、ＤＶＤレコーダ部２から出力される映像信号のうちの一方を、外部に設けられたテレビ受像機１５に出力する。チューナ部４は、制御手段５により指示されたチャンネルの商用放送を受信するとともに、受信により得られた映像信号をビデオレコーダ部１とＤＶＤレコーダ部２とに出力する。
【００４４】
入力部６は、装置本体４０の前面パネル４４に設けられた電源キー４５等のキースイッチや、リモートコントローラ７から送信される赤外線信号を受光する受光ユニット等を備えている。そして、ユーザからの指示が入力されたときには、入力された指示を制御手段５に出力する。
【００４５】
表示部１０は、装置本体４０の前面パネル４４に設けられ、蛍光表示管によって種々の情報を表示する。すなわち、再生位置を示す時間情報２６を表示する。また、録画・再生の対象がＤＶＤ１２であるときには、『ＤＶＤ』の文字表示２３が点灯される。また、ＤＶＤ１２がＤＶＤ−Ｒであるときには、『ＲＷ』の文字２４のうち、『Ｒ』の文字のみが点灯され、ＤＶＤ−ＲＷであるときには、『ＲＷ』の２文字が点灯される。また、６つの記録モード３１〜３６のうちの１つが点灯表示される。また、記録再生の対象がビデオテープ１１であるときには、『ＶＣＲ』の文字表示２２が点灯される。また、標準モードを示す『ＳＰ』の文字表示３２と３倍モードを示す『ＳＬＰ』の文字表示３５のうちの一方が点灯される。また、時計マーク２１と『ＲＥＣ』の文字表示２５とが必要に応じて点灯される。
【００４６】
制御手段５は、マイクロコンピュータを主要部として構成され、デュアル型レコーダとしての動作を制御する。すなわち、ＶＣＲモードにおいて再生の指示が入力されたときには、ビデオレコーダ部１の動作を制御することにより、ビデオテープ１１に記録された映像信号を再生して、テレビ受像機１５に送出する。また、録画の指示が入力されたときには、ビデオレコーダ部１の動作を制御することにより、チューナ部４が出力する映像信号（あるいは、外部から入力された映像信号等）をビデオテープ１１に記録する。
【００４７】
また、ＤＶＤモードにおいて再生の指示が入力されたときには、ＤＶＤレコーダ部２の動作を制御することにより、ＤＶＤ１２に記録された映像信号を再生して、テレビ受像機１５に送出する。また、録画の指示が入力されたときには、ＤＶＤレコーダ部２の動作を制御することにより、チューナ部４が出力する映像信号（あるいは、ビデオレコーダ部１から出力される映像信号や外部から入力された映像信号等）をＤＶＤ１２に記録する。
【００４８】
予約録画制御手段１６は、制御手段５を構成するマイクロコンピュータの機能の一部でもって構成されたブロックとなっており、ビデオテープ１１を記録媒体とする予約録画の設定の受け付け、および、ＤＶＤ１２を記録媒体とする予約録画の設定の受け付けを行う。そして、予約録画の設定が終了した後、待機状態になると、最も早く実行されることになる予約録画に用いられる記録媒体が、ビデオテープ１１となっているのか、あるいは、ＤＶＤ１２となっているのかを表示部１０に表示する。
【００４９】
すなわち、最も早く実行される予約録画において、映像信号の記録媒体としてビデオテープ１１が選択されている場合、予約録画制御手段１６は、表示部１０における『ＶＣＲ』の文字表示２２を点灯し、『ＤＶＤ』の文字表示２３を消灯する。また、最も早く実行される予約録画において、映像信号の記録媒体としてＤＶＤ１２が選択されている場合、表示部１０における『ＤＶＤ』の文字表示２３を点灯し、『ＶＣＲ』の文字表示２２を消灯する。
【００５０】
また、予約録画制御手段１６は、最も早く実行される予約録画において選択された記録媒体が所定位置に収納されていない場合には、予約録画の実行が不能であることを表示部１０において表示する。すなわち、最も早く実行される予約録画において選択された記録媒体がＤＶＤ１２であるとすると、ＤＶＤレコーダ部２のトレイ４１にＤＶＤ１２が載置されていないときには、時計マーク２１を点滅する。また、このとき、同時に、『ＤＶＤ』の文字表示２３も点滅表示にする。
【００５１】
なお、最も早く実行される予約録画において選択された記録媒体が所定位置に収納されている場合には、最も早く実行される予約録画とは異なる予約録画に対応する記録媒体が所定位置に収納されていないときにも、予約録画の実行の不能を表示しない。すなわち、最も早く実行される予約録画に対応する記録媒体がＤＶＤ１２であるとし、ＤＶＤレコーダ部２のトレイ４１にＤＶＤ１２が載置されているとする。このような場合、ビデオテープ１１を対象とする予約録画が設定されているにもかかわらず、ビデオテープ１１が挿入口４２に挿入されていないときにも、時計マーク２１は、予約録画が可能であることを示す点灯表示となり、『ＤＶＤ』の文字表示２３も、予約録画が可能であることを示す点灯表示となる。
【００５２】
また、予約録画制御手段１６は、最も早く実行される予約録画に対応する記録媒体が所定位置に収納されているときであっても、所定位置に収納された記録媒体が映像信号の記録が不能な記録媒体であるときには、予約録画の実行が不能であることを表示部１０に表示する。すなわち、最も早く実行される予約録画に対応する記録媒体がＤＶＤ１２である場合において、トレイ４１に載置されたディスクが、ＣＤ、あるいは、記録不能なＤＶＤであるときには、予約録画が不能であることを示すために、時計マーク２１を点滅する。また、このとき、同時に、『ＤＶＤ』の文字表示２３も点滅表示にする。
【００５３】
また、最も早く実行される予約録画に対応する記録媒体が所定位置に収納されているときであっても、所定位置に収納された記録媒体が空きエリアが無い記録媒体であるときには、予約録画の実行が不能であることを表示部１０に表示する。すなわち、最も早く実行される予約録画に対応する記録媒体がＤＶＤ１２である場合において、トレイ４１に載置されたＤＶＤ１２が、データエリアの全てに映像信号が記録されたＤＶＤ１２であるときには、予約録画が不能であることを示すため、時計マーク２１と『ＤＶＤ』の文字表示２３とを点滅表示にする。
【００５４】
また予約録画制御手段１６は、最も早く実行される予約録画に対応する記録媒体が所定位置に収納されている場合において、所定位置に収納された記録媒体に設定された記録モードで映像信号を記録すると、記録可能な時間が予約録画により示される録画時間より短くなるときには、記録媒体の空きエリアの不足を表示部１０に表示する。且つ、そのときに設定されていた記録モードも、併せて表示部１０に表示する。
【００５５】
すなわち、最も早く実行される予約録画に対応する記録媒体がＤＶＤ１２であり、且つ、記録モードが２時間分の映像信号を記録するＳＰモードとなっており、且つ、予約録画の長さが１時間になっている場合において、トレイ４１に載置されたＤＶＤ１２の空きエリアの広さが、ＳＰモードでは３０分の広さとなっている場合、設定された記録モードを示す『ＳＰ』の文字表示３２を点滅することでもって、設定された記録モードと空きエリアの不足とを示す（時計マーク２１と『ＤＶＤ』の文字表示２３とは、予約録画の実行可能を示すために、点灯表示される）。
【００５６】
また、予約録画制御手段１６は、振替モードと非振替モードとの２種のモードのうち、振替モードに設定された場合には（初期設定において、ユーザにより設定可能になっている）、第１の記録媒体が所定位置に収納されていない状態において第１の記録媒体に映像信号を記録する予約録画を実行するときには第２の記録媒体に映像信号を記録し、第２の記録媒体が所定位置に収納されていない状態において第２の記録媒体に映像信号を記録する予約録画を実行するときには第１の記録媒体に映像信号を記録する。
【００５７】
すなわち、振替モードに設定されている場合、ビデオテープ１１を記録媒体とする予約録画を実行するとき、ビデオテープ１１が挿入されていないときには、ビデオテープ１１に代わってＤＶＤ１２に映像信号を記録する。また、ＤＶＤ１２を記録媒体とする予約録画を実行するとき、記録可能なＤＶＤ１２がトレイ４１に載置されていないときには、ＤＶＤ１２に代わってビデオテープ１１に映像信号を記録する。
【００５８】
また、予約録画制御手段１６は、予約録画の設定となるときには、図４に示したように、月日（あるいは、曜日、または、月曜〜金曜の通し）６１、録画の開始時間６２と終了時間６３、受信するチャンネル６４、映像信号を記録する記録媒体６５、および、記録モード６６を設定可能な画面をテレビ受像機１５に表示させる。すなわち、１つの同じ画面において、ビデオテープ１１を記録媒体とする予約録画と、ＤＶＤ１２を記録媒体とする予約録画との設定を可能にするとともに、予約録画に用いる記録媒体の変更も可能にする画面をテレビ受像機１５に表示させる。また、選択された記録媒体を表示させる。
【００５９】
また、予約録画に対応する記録媒体として第１の記録媒体を選択したときには、第１の記録媒体に対応する記録モードが選択肢として設定され、予約録画に対応する記録媒体として第２の記録媒体を選択したときには、第２の記録媒体に対応する記録モードが選択肢として設定される。すなわち、記録媒体としてＤＶＤ１２を選択したときには、記録モードの選択肢として、１時間の録画が可能なＸＰモード、２時間の録画が可能なＳＰモード、４時間の録画が可能なＬＰモード、６時間の録画が可能なＥＰモード、８時間の録画が可能なＳＬＰモード、１０時間の録画が可能なＳＥＰモードの６つのモードが設定される（図４（Ａ）参照）。また、記録媒体としてビデオテープ１１を選択したときには、記録モードの選択肢として、標準速度を用いるＳＰモード、記録時間が３倍となるＳＬＰモードの２つのモードが設定される（図４（Ｂ）参照）。
【００６０】
また、複数の予約録画が設定されたときには、最も早く実行されることになる予約録画が、その他の予約録画から識別可能に表示される。すなわち、図５に示したように、８つの予約録画が設定されているとする。そして、予約番号『１』の予約（７１により示す）の開始時刻（日時を含む）が現在の時刻（日時を含む）に最も近いとする（予約番号『１』の予約録画７１が最も早く実行される予約録画になっているとする）と、予約番号『１』の予約録画７１の表示が、その他の予約録画の表示色（例えば、白色等）とは異なる色（例えば、黄色等）でもって表示される。
【００６１】
上記構成からなる実施形態の予約録画の設定動作を説明する。
【００６２】
リモートコントローラ７等を用いて予約録画の設定を選択すると、テレビ受像機１５には、図５に示すように、予約番号（６０により示す）のそれぞれ毎に、６つの設定欄６１〜６６を有する設定画面が表示される。詳細には、設定欄６１は、予約録画の月日（あるいは曜日、または平日の月〜金）を設定する。設定欄６２は予約録画の開始時刻、設定欄６３は予約録画の終了時刻を設定する。また、設定欄６４は受信するチャンネルを設定する。そして、設定欄６５は、予約録画の対象となる記録媒体を設定し、設定欄６６は記録モードを設定する。
【００６３】
なお、設定欄６５においてＤＶＤを選択した場合、記録モードとしては、図４（Ａ）に示したように、ＸＰモード、ＳＰモード、ＬＰモード、ＥＰモード、ＳＬＰモード、ＳＥＰモードの６つのモードが選択肢として用意される。従って、ユーザは、この６つのモードのうちの１つのモードを選択する。また、記録媒体としてビデオテープ１１を選択した場合、記録モードとしては、図４（Ｂ）に示したように、ＳＰモード、ＳＬＰモードの２つのモードが選択肢として用意される。このため、ユーザは、この２つのモードのうちの１つを選択する。
【００６４】
なお、上記した予約録画の設定を行うと、設定が完了した複数の予約録画のうち、最も早く実行されることになる予約録画の欄が黄色でもって表示され、その他の予約録画の欄は白色でもって表示される。従って、ユーザは、予約録画の設定画面を見るのみで、待機状態において最も早く実行される予約録画を直ちに把握することができる。
【００６５】
また、予約録画のそれぞれに使用される記録媒体については、図示されないカーソルを設定欄６５に移動させた後、上下方向キーを操作するのみで、ビデオテープ１１とＤＶＤ１２との任意の一方を選択できる。従って、使用する記録媒体の選択が極めて容易となる。また、既に記録媒体が選択されている予約録画についても、その予約録画を選択した後、選択した予約録画において、カーソルを設定欄６５に移動させた後、上下方向キーを操作すると、予約録画に使用する記録媒体を、ビデオテープ１１からＤＶＤ１２に、あるいは、ＤＶＤ１２からビデオテープ１１に変更できる。すなわち、予約録画において使用する記録媒体を、極めて簡単な手順でもって、容易に変更することができる。また、１つの設定画面を見るのみで、予約録画のそれぞれについて、使用される記録媒体がビデオテープ１１であるのかＤＶＤ１２であるのかも、併せて、直ちに把握することができるようになっている。
【００６６】
図６〜図８は、待機状態における実施形態の表示動作を示すフローチャートである。必要に応じて同図を参照しつつ、待機状態における実施形態の動作を説明する。
【００６７】
なお、以下における説明では、予約録画の実行が完了したときには、設定された予約録画は消去されるとする。また、実行が不能となる予約録画については、現在時刻が終了時刻を過ぎたとき、設定が消去されるとする。そして、予約録画の設定が消去される毎に、消去された予約録画の予約番号を、そのすぐ後方（予約番号の大きい側）に並ぶ予約録画に振り当て直すとともに、以下に続く予約録画に、数値の小さい側から大きい側に、順次、自動で予約番号を振り当て直すものとする。
【００６８】
以上で補足的な説明を終了し、待機状態の動作説明を行う。予約録画制御手段１６は、待機状態となるときには、日時を含めて、開始時刻が現在時刻より早い予約録画があるかどうかを調べる。すなわち、既に実行が開始されていなければならないのに、記録媒体が所定位置に無い、等の理由によって、まだ実行されていない予約録画があるかどうかを調べる（ステップＳ１）。そして、該当する予約録画が見つかったときには、その予約録画の数が１つなのか、あるいは、２つより多いのかを調べる。該当する予約録画が１つであるときには、見つかった予約録画の記録媒体を示す文字表示（『ＶＣＲ』の文字表示２２または『ＤＶＤ』の文字表示２３の一方）と時計マーク２１とを点滅表示し、該当しない記録媒体を示す文字表示（『ＶＣＲ』の文字表示２２または『ＤＶＤ』の文字表示２３の他方）を消灯状態とする（ステップＳ２，Ｓ３，Ｓ６，Ｓ７）。
【００６９】
一方、該当する予約録画が２つ以上見つかったときには、値が最も小さい予約番号の予約録画の記録媒体を示す文字表示（『ＶＣＲ』の文字表示２２または『ＤＶＤ』の文字表示２３の一方）と時計マーク２１とを点滅表示し、該当しない記録媒体を示す文字表示（『ＶＣＲ』の文字表示２２または『ＤＶＤ』の文字表示２３の他方）を消灯状態とする（ステップＳ２〜Ｓ５）。
【００７０】
なお、開始時刻が現在時刻より早い予約録画が無いときには、動作は、ステップＳ２からステップＳ１１に移行し、予約録画制御手段１６は、変数Ｎに初期値１を入力し、変数ｎに初期値２を入力する。次いで、ｎ番の予約録画（このときでは２番の予約録画）が設定されているかどうかを調べる（ステップＳ１２）。ｎ番の予約録画が設定されているときには、Ｎ番の予約録画とｎ番の予約録画とのうち、どちらの予約録画が早く実行されるかを調べ、早く実行される側の予約録画の予約番号を、値Ｎとして取得する（ステップＳ１３，Ｓ１４）。
【００７１】
そして、値ｎを１つ更新した後（ステップＳ２１）、動作をステップＳ１２に戻し、ｎ番の予約録画（このときでは３番の予約録画）が設定されているかどうかを調べる。以後、値ｎが８となるか、または、ｎ番の予約録画が設定されていない状態となるまで、ステップＳ１２〜Ｓ１５，Ｓ２１からなるループ動作を実行する。その結果、予約番号がＮ番である予約録画は、最も早く実行される予約録画を示すことになる。
【００７２】
この後、予約録画制御手段１６は、Ｎ番の予約録画に対応する記録媒体を調べる（ステップＳ１６）。記録媒体がビデオテープ１１であるときには、ビデオテープ１１が挿入口４２に挿入されているかどうか（所定位置に収納されているかどうか）を調べる（ステップＳ１７，Ｓ１８）。ビデオテープ１１が挿入されている場合、最も早く実行される予約録画は、ビデオテープ１１を記録媒体とする予約録画であり、且つ、支障なく実行可能な予約録画となる。このため、予約録画制御手段１６は、時計マーク２１と『ＶＣＲ』の文字表示２２とを点灯し、『ＤＶＤ』の文字表示２３を消灯とする（ステップＳ１９）。
【００７３】
一方、ステップＳ１８において、ビデオテープ１１が挿入されていないときには、最も早く実行される予約録画は、ビデオテープ１１を記録媒体とする予約録画であり、且つ、ビデオテープ１１が挿入されていないため、実行が不能な予約録画となる。このため、予約録画制御手段１６は、時計マーク２１と『ＶＣＲ』の文字表示２２とを点滅表示とし、『ＤＶＤ』の文字表示２３を消灯とする（ステップＳ２２）。従って、ユーザは、この表示を見たときには、ビデオテープ１１を挿入する必要があることを直ちに把握することができる。
【００７４】
なお、予約録画の対象となっている記録媒体がＤＶＤである場合には、動作は、ステップＳ１７からステップＳ３１に移行する。このため、ＤＶＤ１２が所定位置に収納されているかどうかが調べられる。そして、ＤＶＤ１２が所定位置にあることが判明したときには、所定位置にあるＤＶＤ１２が、映像信号を記録することが可能なＤＶＤであるかどうかが調べられる（ステップＳ３２）。そして、所定位置に収納されているＤＶＤ１２が、映像信号を記録することが可能なＤＶＤであることが判明した場合には、空きエリアがあるかどうかが調べられる（ステップＳ３３）。
【００７５】
空きエリアがあることが判明したときには、その空きエリアに、予約録画において設定された時間分の映像信号を記録可能かどうかが調べられる。そして、記録可能であることが判明したときには、最も早く実行される予約録画は、ＤＶＤ１２に対するものであり、且つ、設定された記録モードを用いて、支障なく録画することが可能な予約録画となる。このため、予約録画制御手段１６は、時計マーク２１と『ＤＶＤ』の文字表示２３とを点灯し、『ＶＣＲ』の文字表示２２を消灯する。また、設定された記録モードを示す文字表示（例えば、『ＳＰ』の文字表示３２、あるいは、『ＬＰ』の文字表示３３等）を点灯する（ステップＳ３５，Ｓ３６）。
【００７６】
一方、空きエリアはあるが、その空きエリアは、予約録画において設定された時間分の映像信号を記録するには広さ不足であることが判明した場合、最も早く実行される予約録画は、ＤＶＤ１２に対するものであり、且つ、ＤＶＤ１２には空きエリアがある予約録画となる。このため、予約録画制御手段１６は、時計マーク２１と『ＤＶＤ』の文字表示２３とを点灯し、『ＶＣＲ』の文字表示２２を消灯する。しかし、現在設定されている記録モードでは空きエリアが不足し、指定された時間分の映像信号を記録するには支障が生じる。このため、設定された記録モードを示す文字表示（例えば、『ＳＰ』の文字表示３２、あるいは、『ＬＰ』の文字表示３３等）を点滅させることによって、設定された記録モードでは、空きエリアが不足であることを示す（ステップＳ３５，Ｓ３７）。
【００７７】
一方、ステップＳ３１においてＤＶＤ１２が所定位置にないことが判明した場合、あるいは、ステップＳ３２において所定位置にあるＤＶＤ１２が、映像信号を記録できないＤＶＤであることが判明した場合、あるいは、所定位置にあるＤＶＤ１２が空きエリアが無いＤＶＤであることが判明した場合では、最も早く実行される予約録画は、ＤＶＤ１２に対するものではあるが、実行不能な予約録画であることを意味する。このため、予約録画制御手段１６は、時計マーク２１と『ＤＶＤ』の文字表示２３とを点滅表示する。なお、このとき、『ＶＣＲ』の文字表示２２は消灯される（ステップＳ４１）。
【００７８】
なお、表示部１０に表示される内容については、予約録画の設定時刻の最少単位である１分が経過する毎に変わる可能性がある。また、電源オン状態においては予約録画の設定が変更された可能性がある。このため、予約録画制御手段１６は、１分が経過する毎に予約録画の設定の状態を調べ、その結果に基づいた内容を表示部１０に表示する。また、電源がオン状態からオフ状態に移行したときにも、直ちに、予約録画の設定の状態を調べ、その結果に基づいた内容を表示部１０に表示する。
【００７９】
図９は、予約録画の実行時の実施形態の主要動作を示すフローチャートである。必要に応じて同図を参照しつつ、実施形態の動作を説明する。
【００８０】
予約録画制御手段１６は、上記した表示のための動作と並行して、予約録画を実行するかどうかも調べる。すなわち、録画を開始する日時および時刻が、現在の日時および時刻となる予約録画があるかどうかを調べる（ステップＳ５１，Ｓ５２）。そして、録画を開始する日時時刻が現在の日時時刻に一致する予約録画が見つかったときには、見つかった予約録画が、実行可能な予約録画であるかどうかを調べる。すなわち、予約録画に対応する記録媒体が所定位置にあるかどうかを調べるとともに、所定位置に記録媒体があるときには、記録媒体が記録可能な状態にあるかどうかも、併せて調べる（ステップＳ５３）。そして、記録媒体が所定位置にあり、且つ、記録媒体が映像信号の記録を可能な状態にあるときには、予約録画を実行する（ステップＳ５４，Ｓ５９）。
【００８１】
一方、見つかった予約録画に対応する記録媒体が所定位置に無い場合や、対応する記録媒体が所定位置にあるけれども、その記録媒体が映像信号の記録が不能な記録媒体である場合、予約録画制御手段１６は、設定されているモードが、振替モードと非振替モードとのうち、どちらのモードになっているのかを調べる。そして、振替モードとなっているときには、他方の側のレコーダを用いて、映像信号が記録可能であるかどうかを調べる（ステップＳ５４〜Ｓ５６）。そして、他方の側のレコーダを用いて映像信号の記録が可能であるときには、他方の側のレコーダを用いて予約録画を実行し、他方の側のレコーダを用いて映像信号を記録することが不能であるときには、予約録画の実行を中止する（ステップＳ５７，Ｓ５８）。
【００８２】
すなわち、見つかった予約録画がビデオテープ１１に対する予約録画であったときに、ビデオテープ１１が挿入されていないことが判明した場合や、挿入されたビデオテープ１１が録画禁止であることが判明した場合、予約録画制御手段１６は、ＤＶＤレコーダ部２を用いて映像信号を記録可能かどうかを調べる。つまり、ＤＶＤレコーダ部２の側にＤＶＤ１２が収納されており、且つ、収納されたＤＶＤ１２が、映像信号を記録可能な状態にあるかどうかを調べる。そして、ＤＶＤレコーダ部２を用いて映像信号を記録することが可能であるときには、ビデオテープ１１に対する予約録画を、ＤＶＤ１２に対して実行する。
【００８３】
また、見つかった予約録画がＤＶＤ１２に対する予約録画であったときに、ＤＶＤ１２が所定位置にないことが判明した場合や、所定位置にあるＤＶＤ１２に映像信号を記録することが不能なことが判明した場合、予約録画制御手段１６は、ビデオレコーダ部１を用いて映像信号を記録可能かどうかを調べる。つまり、ビデオレコーダ部１の側にビデオテープ１１が挿入されており、且つ、挿入されたビデオテープ１１が、映像信号を記録可能な状態にあるかどうかを調べる。そして、ビデオレコーダ部１を用いて映像信号を記録することが可能であるときには、ＤＶＤ１２に対する予約録画を、ビデオテープ１１に対して実行する。
【図面の簡単な説明】
【００８４】
【図１】本発明に係る複合型記録再生装置の一実施形態の電気的構成を示すブロック線図である。
【図２】実施形態の前面パネルの様子を示す説明図である。
【図３】実施形態の表示部を示す説明図である。
【図４】予約録画の設定画面における設定項目を示す説明図である。
【図５】予約録画の設定画面の様子を示す説明図である。
【図６】待機状態における実施形態の表示動作を示すフローチャートである。
【図７】待機状態における実施形態の表示動作を示すフローチャートである。
【図８】待機状態における実施形態の表示動作を示すフローチャートである。
【図９】予約録画の実行時の実施形態の主要動作を示すフローチャートである。
【符号の説明】
【００８５】
１  ビデオレコーダ部（第１の記録手段）
２  ＤＶＤレコーダ部（第２の記録手段）
１０  表示部
１１  ビデオカセットテープ（第１の記録媒体）
１２  ＤＶＤ（第２の記録媒体）
１６  予約録画制御手段
６５  予約録画に用いる記録媒体の設定欄
６６  記録モードの設定欄
【図１】
2006005778.tif 000003
【図２】
2006005778.tif 000004
【図３】
2006005778.tif 000005
【図４】
2006005778.tif 000006
【図５】
2006005778.tif 000007
【図６】
2006005778.tif 000008
【図７】
2006005778.tif 000009
【図８】
2006005778.tif 000010
【図９】
2006005778.tif 000011